【手続補正書】
【提出日】令和2年7月20日(2020.7.20)
【手続補正１】
【補正対象書類名】特許請求の範囲
【補正対象項目名】全文
【補正方法】変更
【補正の内容】
【特許請求の範囲】
【請求項１】
高架道路等の高架のコンクリート構造物の、伸縮継ぎ手や目地が設けられる構造物端面間の隙間即ち構造物狭隘部にて、流体を前記構造物端面へ噴射してコンクリート構造物のはつりを行う構造物狭隘部のはつり装置において、
前記はつり装置は、前記構造物狭隘部内へ挿入することができ且つ加圧した流体を噴射するノズルを備えた噴射部と、前記構造物狭隘部内において前記噴射部を前記構造物の全幅方向即ち左右方向に沿って移動させることができる移動部と、前記構造物狭隘部内へ挿入でき且つ前記噴射部の荷重を受け当該荷重を構造物へ直接伝達する噴射部支承部とを備え、前記噴射部支承部は、移動部に連動して前記噴射部を移動させることができ、前記移動部へ前記噴射部の荷重が掛るのを抑制するものであり、
前記噴射部は、前記ノズルとして高圧水を噴射してコンクリートをはつるウォータージェットノズルを先端に備えた高圧パイプであり、前記噴射部の基端側は高圧ポンプへ接続されるものであり、
前記噴射部支承部は、前記構造物へ固定されたものであり且つ上面へ前記噴射部が載置されて固定されるスライド部を備え、
前記移動部は、間接或いは直接的に前記スライド部を左右方向へスライドさせることにより、前記構造物狭隘部内にて噴射部の少なくとも前記ノズル側を左右方向へ移動させるものであり、
前記噴射部支承部は、前記構造物へ固定され且つ前記スライド部の前記左右方向への移動をガイドするガイドレールを備え、
前記移動部は、前記構造物狭隘部内にて構造物の左右に渡され前記構造物狭隘部内へ前記左右方向に沿って配置されたワイヤーロープ等線条部材と、前記線条部材を移動させる駆動部と、前記線条部材へ前記噴射部を固定する固定部材とを備え、前記線条部材の移動にて前記スライド部と共に前記噴射部を移動させるものであることを特徴とする構造物狭隘部におけるはつり装置。
【請求項２】
前記線条部材は、環状にされ、前記固定部材は、噴射部の回り止めを構成するものであり、
前記噴射部は、前記線条部材の循環により、前記固定部材と共に前記構造物狭隘部内を左右に移動することができ、環状の前記線条部材の循環経路は、前記経路の他の区間よりも上方の上方区間と、当該上方区間の下方に位置する下方区間とを有し、
前記上方区間と下方区間の一方において、前記固定部材は、前記線条部材に固定され或いは前記線条部材の環の一部をなし線条部材の前記循環に伴い構造物狭隘部内を左右へ移動することができ、
前記固定部材は、上下方向について、前記上方区間から下方区間へ掛けて配置されるものであり、
前記固定部材には、前記上方区間と下方区間の他の一方において、前記線条部材を通す挿通部が設けられ、線条部材の前記挿通部に通された部位は、前記固定部材に対し左右に移動でき、前記固定部材の少なくとも前後方向への移動が線条部材の前記挿通部に通された部位に制限されて、前記固定部材と共に前記噴射部が噴射の反動で回るのを抑制する請求項１記載の構造物狭隘部におけるはつり装置。
【請求項３】
前記ノズルを覆うカバーを備え、
前記カバーは、はつる部位のある前記構造物端面と対面する方向を前記ノズルに対し開放する開放部を備え、前記カバーは、前記開放部以外において前記ノズルを覆うものであり、前記構造物端面のはつる部位以外に流体が飛散するのを抑制することを特徴とする請求項１又は２に記載の構造物狭隘部におけるはつり装置。
【請求項４】
高架道路等の高架のコンクリート構造物の、伸縮継ぎ手や目地が設けられる構造物端面間の隙間即ち構造物狭隘部にて、流体を前記構造物端面へ噴射してコンクリート構造物のはつりを行う構造物狭隘部のはつり方法において、
前記構造物狭隘部内へ挿入することができ且つ加圧した流体を噴射するノズルを備えた噴射部と、前記構造物狭隘部内において前記噴射部を前記構造物の全幅方向即ち左右方向に沿って移動させることができる移動部と、前記構造物狭隘部内へ挿入でき且つ前記噴射部の荷重を受け当該荷重を構造物へ直接伝達する噴射部支承部とを備えたはつり装置を用いるものであり、
前記噴射部支承部は、移動部に連動して前記噴射部を移動させることができ、前記移動部へ前記噴射部の荷重が掛るのを抑制するものであり、
前記噴射部は、前記ノズルとして高圧水を噴射してコンクリートをはつるウォータージェットノズルを先端に備えた高圧パイプであり、前記噴射部の基端側は高圧ポンプへ接続されるものであり、
前記噴射部支承部は、前記構造物へ固定されたものであり且つ上面へ前記噴射部が載置されて固定されるスライド部を備え、
前記移動部は、間接或いは直接的に前記スライド部を左右方向へスライドさせることにより、前記構造物狭隘部内にて噴射部の少なくとも前記ノズル側を左右方向へ移動させるものであり、
前記噴射部支承部は、前記構造物へ固定され且つ前記スライド部の前記左右方向への移動をガイドするガイドレールを備え、
前記移動部は、前記構造物狭隘部内にて構造物の左右に渡され前記構造物狭隘部内へ前記左右方向に沿って配置されたワイヤーロープ等線条部材と、前記線条部材を移動させる駆動部と、前記線条部材へ前記噴射部を固定する固定部材とを備え、前記線条部材の移動にて前記スライド部と共に前記噴射部を移動させる構造物狭隘部におけるはつり方法。
【請求項５】
前記コンクリート構造物のはつりに先だち、高架道路等の高架のコンクリート構造物の、伸縮継ぎ手や目地が設けられる構造物端面間の隙間即ち構造物狭隘部にて、構造物の劣化試験用の試料として前記構造物のコンクリートの一部を採取する劣化試験用試料採取装置を備え、
前記劣化試験用試料採取装置は、切削部と、操作部と、採取部とを備え、
前記切削部は、前記構造物の右又は左側から前記構造物狭隘部内へ挿入することができ且つコンクリートをはつり取ることが可能なビットを備えたものであり、
前記操作部は、前記切削部と一体又は別体に形成された棒状体であり、前記構造物の右又は左側から前記構造物狭隘部内へ差し込み、作業者の操作にて前記切削部を前記構造物狭隘部内の所望の位置へ配置させることができ、
前記採取部は、前記構造物の右又は左側から前記構造物狭隘部内へ挿入することができる受け部を備え、前記切削部がはつり採った構造物のコンクリートの砕粉を受けるものであることを特徴とする請求項１乃至３の何れかに記載の構造物狭隘部におけるはつり装置。
【請求項６】
前記劣化試験用試料採取装置は、前記構造物狭隘部内において前記構造物の全幅方向即ち構造物の左右に渡って配置され前記切削部の前記構造物狭隘部内での左右の移動をガイドする細長のガイド部を備え、
前記切削部又は前記操作部を前記ガイド部へ支持させることにて、前記ガイド部に沿って、前記切削部を左右方向へ移動させることができ、
前記切削部は、前記操作部の先に前記操作部と一体に設けられ、
前記切削部は、前記操作部の軸と交差する方向に突出する短軸と、当該短軸の先に前記ビットとして設けられたドリルビットとを備えたエアツールであり、
前記切削部は、前記構造物狭隘部の外部に配置されたエアコンプレッサから駆動力を得て前記短軸を中心として前記ドリルビットを回転させることができ、
前記構造物の右又は左側において、前記操作部の基端側を握って前記操作部を回転させることにより、前記操作部の軸を中心として前記短軸を旋回させて、前記ドリルビットを構造物の前記端面に当てることができ、
採取部の前記受け部は、前記構造物狭隘部内にて前記ドリルビットの近傍へ配置することができる樋状のものであることを特徴とする請求項５記載の構造物狭隘部におけるはつり装置。
【請求項７】
前記受け部は、集塵機に接続されて、前記砕粉を吸引することができることを特徴とする請求項５又は６に記載の構造物狭隘部におけるはつり装置。
【請求項８】
前記ガイド部は、前記切削部又は前記操作部を、前記ガイド部へ吊るした状態にして左右の移動を案内するワイヤーロープであり、
前記操作部は、中空の筒状体であり、前記操作部の内部に前記エアツールの本体が設けられ、
左右に伸びる前記操作部の、側部先端側は、前記操作部の周方向について一部を残して上部側が開放された区間を開放部位として備え、側部先端側において当該周方向の下部側が樋状の前記受け部を構成するものであり、
前記切削部は、操作部の前記開放部位から、前記短軸を操作部の軸方向と直交する方向に突出させたことを特徴とする請求項１４又は１５記載の構造物狭隘部におけるはつり装置。
【請求項９】
前記コンクリート構造物のはつりに先だち、高架道路等の高架のコンクリート構造物の、伸縮継ぎ手や目地が設けられる構造物端面間の隙間即ち構造物狭隘部にて、構造物の劣化試験用の試料として前記構造物のコンクリートの一部を採取する劣化試験用試料採取を行うものであって、
切削部と、操作部と、採取部とを用いるものであり、
前記切削部には、前記構造物の右又は左側から前記構造物狭隘部内へ挿入することができ且つコンクリートをはつり取ることが可能なビットを備えたものを採用し、
前記操作部には、前記切削部と一体又は別体に形成された棒状体であるものを採用し、
前記採取部には、前記構造物の右又は左側から前記構造物狭隘部内へ挿入することができる受け部を備えるものを採用し、
作業者が、前記操作部を、前記構造物の右又は左側から前記構造物狭隘部内へ差し込み、操前記切削部を前記構造物の右又は左側から前記狭隘部内にて、前記切削部を前記構造物う狭隘部内の所望の位置へ配置させ、前記切削部にて構造物のコンクリートを切削し、
前記切削部がはつり採った構造物のコンクリートの砕粉を、前記採取部にて受けるものであることを特徴とする請求項４記載の構造物狭隘部におけるはつり方法。
【手続補正２】
【補正対象書類名】明細書
【補正対象項目名】発明の名称
【補正方法】変更
【補正の内容】
【発明の名称】構造物狭隘部におけるはつり方法及びその装置
【手続補正３】
【補正対象書類名】明細書
【補正対象項目名】０００７
【補正方法】変更
【補正の内容】
【０００７】
本願発明は、高架道路等高架のコンクリート構造物の上部工における、伸縮継ぎ手や目地が設けられる端面間の隙間即ち構造物狭隘部の、被補修部位へモルタル等の補修材を打って補修を行う構造物狭隘部における補修部形成装置について次の構成を採るものを提供する。
即ち、この装置は、前記構造物狭隘部の左右又は下方から前記上部工のコンクリートをはつって形成した、コンクリートの除去された空間を前記被補修部位とし、当該被補修部位へ新たに前記補修材を打って補修部を形成するものであり、構造物狭隘部である前記端面間の幅を２０ｍｍ〜１００ｍｍとし、前記補修材を供給する補修材供給部を備え、前記補修材供給部の前後の幅は前記端面間の幅より小さく、前記補修材供給部は、前記構造物の左右の少なくとも一方又は下方から前記構造物狭隘部内へ挿入することができ且つ当該挿入状態において前記補修材の送り方向を当該挿入方向と交差する方向とする先端側区間を備え、前記被補修部位へ向けて前記補修材を充填又は吹き付けることができる。
尚、ここでいう高架道路等高架のコンクリート構造物には、高架道路を含む他、高架橋その他の上部に道路、鉄道、水路、或いは歩行者の通路が設けられ、高架に形成されたコンクリート構造物を含む。
また、本願発明では、前記補修材供給部は、補修材を前記補修部へ噴射する噴射装置と、前記噴射装置を移動させる噴射装置移動部とを備え、前記補修材供給部について、少なくとも前記噴射装置が前記先端側区間を備え、少なくとも前記先端側区間を、上記の通り前記構造物の右又は左側から前記構造物狭隘部内へ挿入することができるものである。
尚、ここでいう橋脚には、通常の橋脚の他、橋台も含む。
更に、本願発明では、前記噴射装置は、前記補修材を噴射するノズル部と、基端側に設けられた補修材を前記ノズル部に向けて送る材料ホースと、エア圧送管とを備え、前記エア圧送管の先端側は前記ノズル部に接続され、エア圧送管の基端側はコンプレッサへ接続され、前記エア圧送管は、コンプレッサにて圧縮された空気を前記ノズル部へ送るものであり、前記エア圧送管を主管とし前記エア圧送管のノズル部に至るまでの途中区間へ前記材料ホースの先端側が接続されて、前記エア圧送管からの圧縮空気によって前記補修材を前記ノズル部から噴射するものである構造物狭隘部における補修部形成装置を提供できた。
また更に、本願発明に係る構造物狭隘部における補修部形成装置は、１つ又は複数の型枠を備え、前記型枠の少なくとも１つは、前記構造物の右又は左側から前記構造物狭隘部内へ挿入することができ、前記構造物狭隘部内へ挿入されて前記被補修部位を覆うものであり、前記型枠には注入孔が設けられ、前記補修材供給部は、前記型枠に覆われた前記被補修部位へ前記注入孔から前記補修材を充填させることを可能とするものであり、前記型枠は、当該補修部形成後、前記構造物から取り外されるものである。
更にまた、本願発明では、前記被補修部位が、少なくとも前記上部工の前記端面から前記上部工の下面へ連続するようコンクリートの除去された空間であり、前記型枠として縦にして前記上部工の右又は左側から構造物狭隘部へ挿入することができる縦型枠と横にして前記上部工の下面に当てることができる横型枠とを含むと共に、少なくとも前後に膨張することができる膨張体を備えるものであり、前記被補修部位の下部へ前記横型枠を配置し、前記構造物の側面視において、前記横型枠と共に前記被補修部位を取り囲むよう、前記縦型枠を立てた状態にして前記横型枠の上面に載せ或いは前記横型枠へ連結し、前記膨張体を、前記被補修部位へ対向する前記端面と前記縦型枠との間に配置し膨張させることにより、前記横型枠から前記縦型枠が外れるのを防止しつつ、前記横型枠と前記縦型枠とに囲まれた前記被補修部位へ前記補修材供給部にて前記補修材を充填するものであり、補修部形成後、前記縦型枠、横型枠及び膨張体を前記構造物から取り外す構造物狭隘部における補修部形成装置を提供できた。
また、本願発明は、高架道路等高架のコンクリート構造物の上部工における、伸縮継ぎ手や目地が設けられる端面間の隙間即ち構造物狭隘部の、被補修部位へモルタル等の補修材を打って補修を行う構造物狭隘部における補修部形成方法について、次の構成を採るものを提供する。
即ち、この方法は、前記構造物狭隘部の左右又は下方から前記上部工のコンクリートをはつって形成した、コンクリートの除去された空間を前記被補修部位とし、当該被補修部位へ新たに前記補修材を打って補修部を形成するものであり、構造物狭隘部である前記端面間の幅を２０ｍｍ〜１００ｍｍとし、前記補修材を供給する補修材供給部を用い、前記補修材供給部の前後の幅が前記端面間の幅より小さく、前記補修材供給部には、前記構造物の左右の少なくとも一方又は下方から前記構造物狭隘部内へ挿入することができ且つ当該挿入状態において前記補修材の送り方向を当該挿入方向と交差する方向とする先端側区間を備えるものを用い、前記被補修部位へ向けて前記補修材を充填又は吹き付ける。
更に、本願発明は、高架道路等高架のコンクリート構造物の上部工における、伸縮継ぎ手や目地が設けられる端面間の隙間即ち構造物狭隘部の、被補修部位へモルタル等の補修材を打って補修を行う構造物狭隘部における補修部形成装置について次の構成を採るものを提供できた。
即ち、この装置は、前記構造物狭隘部の左右又は下方から前記上部工のコンクリートをはつって形成した、コンクリートの除去された空間を前記被補修部位とし、当該被補修部位へ新たに前記補修材を打って補修部を形成するものであり、前記被補修部位は、少なくとも前記上部工の前記端面から前記上部工の下面へ連続するようコンクリートの除去された空間であり、前記上部工は、橋脚の上面に支承を介して配置された桁部材と、前記部材の上部へ一体に設けられた上部部材Ｓ４とを備える構造のものであり、構造物狭隘部である前記端面間の幅を２０ｍｍ〜１００ｍｍとし、前記補修材を供給する補修材供給部を備え、縦にして前記上部工の右又は左側から構造物狭隘部へ挿入することができる縦型枠と横にして前記上部工の下面に当てることができる横型枠とを含むと共に、少なくとも前後に膨張することができる膨張体を備え、前記被補修部位の下部へ前記横型枠を配置し、前記構造物の側面視において、前記横型枠と共に前記被補修部位を取り囲むよう、前記縦型枠を立てた状態にして前記横型枠の上面に載せ或いは前記横型枠へ連結し、前記膨張体を、前記被補修部部位へ対向する前記端面と前記縦型枠との間に配置し膨張させることにより、前記横型枠から前記縦型枠が外れるのを防止しつつ、前記横型枠と前記縦型枠とに囲まれた前記被補修部位へ前記補修材供給部にて前記補修材を充填するものであり、前記縦型枠又は前記横型枠には、注入孔が設けられ、前記補修材供給部は、補修材の送り方向を下方から上方とする上下区間を備え、橋脚側から前記注入孔へ向けて補修材を供給し、前記補修材供給部は、前記型枠に覆われた前記被補修部位へ前記注入孔から前記補修材を充填させることを可能とするものであり、補修部形成後、前記縦型枠、横型枠及び膨張体を前記構造物から取り外すものである。
また、本願発明は、前記補修部形成に先立ち、高架道路等の高架のコンクリート構造物の、伸縮継ぎ手や目地が設けられる構造物端面間の隙間即ち構造物狭隘部にて、流体を前記構造物端面へ噴射してコンクリート構造物のはつりを行う構造物狭隘部のはつり装置を備えるものであり、次の構成を採る構造物狭隘部における補修部形成装置を提供する。
即ち、前記はつり装置は、前記構造物狭隘部内へ挿入することができ且つ加圧した流体を噴射するノズルを備えた噴射部と、前記構造物狭隘部内において前記噴射部を前記構造物の全幅方向即ち左右方向に沿って移動させることができる移動部と、前記構造物狭隘部内へ挿入でき且つ前記噴射部の荷重を受け当該荷重を構造物へ直接伝達する噴射部支承部とを備え、前記噴射部支承部は、移動部に連動して前記噴射部を移動させることができ、前記移動部へ前記噴射部の荷重が掛るのを抑制する。
更に、本願発明では、はつり装置の前記噴射部は、前記ノズルとして高圧水を噴射してコンクリートをはつるウォータージェットノズルを先端に備えた高圧パイプであり、前記噴射部の基端側は高圧ポンプへ接続されるものであり、前記噴射部支承部は、前記構造物へ固定されたものであり且つ上面へ前記噴射部が載置されて固定されるスライド部を備え、前記移動部は、間接或いは直接的に前記スライド部を左右方向へスライドさせることにより、前記構造物狭隘部内にて噴射部の少なくとも前記ノズル側を左右方向へ移動させるものである構造物狭隘部における補修部形成装置を提供できた。
また、本願発明では、前記噴射部支承部は、前記構造物へ固定され且つ前記スライド部の前記左右方向への移動をガイドするガイドレールを備え、前記移動部は、前記構造物狭隘部内にて構造物の左右に渡され前記構造物狭隘部内へ前記左右方向に沿って配置されたワイヤーロープ等線条部材と、前記線条部材を移動させる駆動部と、前記線条部材へ前記噴射部を固定する固定部材とを備え、前記線条部材の移動にて前記スライド部と共に前記噴射部を移動させるものである構造物狭隘部における補修部形成装置を提供できた。
更に、本願発明では、前記線条部材は、環状にされ、前記固定部材は、噴射部の回り止めを構成するものであり、前記噴射部は、前記線条部材の循環により、前記固定部材と共に前記構造物狭隘部内を左右に移動することができ、環状の前記線条部材の循環経路は、前記経路の他の区間よりも上方の上方区間と、当該上方区間の下方に位置する下方区間とを有し、前記上方区間と下方区間の一方において、前記固定部材は、前記線条部材に固定され或いは前記線条部材の環の一部をなし線条部材の前記循環に伴い構造物狭隘部内を左右へ移動することができ、前記固定部材は、上下方向について、前記上方区間から下方区間へ掛けて配置されるものであり、前記固定部材には、前記上方区間と下方区間の他の一方において、前記線条部材を通す挿通部が設けられ、線条部材の前記挿通部に通された部位は、前記固定部材に対し左右に移動でき、前記固定部材の少なくとも前後方向への移動が線条部材の前記挿通部に通された部位に制限されて、前記固定部材と共に前記噴射部が噴射の反動で回るのを抑制する、構造物狭隘部における補修部形成装置を提供できた。
また、本願発明では、前記ノズルを覆うカバーを備え、前記カバーは、はつる部位のある前記構造物端面と対面する方向を前記ノズルに対し開放する開放部を備え、前記カバーは、前記開放部以外において前記ノズルを覆うものであり、前記構造物端面のはつる部位以外に流体が飛散するのを抑制する、構造物狭隘部における補修部形成装置を提供できた。
更にまた、本願発明では、前記補修部形成に先立ち、高架道路等の高架のコンクリート構造物の、伸縮継ぎ手や目地が設けられる構造物端面間の隙間即ち構造物狭隘部にて、流体を前記構造物端面へ噴射してコンクリート構造物のはつりを行うものであって、次の構成を採る構造物狭隘部における補修部形成方法を提供できた。
即ち、前記はつりは、前記構造物狭隘部内へ挿入することができ加圧した流体を噴射するノズルを備えた噴射部と、前記構造物狭隘部内において前記噴射部を前記構造物の全幅方向即ち左右方向に沿って移動させることができる移動部と、前記構造物狭隘部内へ挿入でき且つ前記噴射部の荷重を受け当該荷重を構造物へ直接伝達する噴射部支承部とを用い、
前記噴射部支承部には、前記移動部と別体に形成されると共に移動部に連動して前記噴射部を移動させるものを採用し、前記移動部へ前記噴射部の荷重が掛るのを抑制する。
また、本願発明は、前記コンクリート構造物のはつりに先だち、高架道路等の高架のコンクリート構造物の、伸縮継ぎ手や目地が設けられる構造物端面間の隙間即ち構造物狭隘部にて、構造物の劣化試験用の試料として前記構造物のコンクリートの一部を採取する劣化試験用試料採取装置を備える、構造物狭隘部における補修部形成装置について、次の構成を採るものを提供できた。
即ち、前記劣化試験用試料採取装置は、切削部と、操作部と、採取部とを備え、前記切削部は、前記構造物の右又は左側から前記構造物狭隘部内へ挿入することができ且つコンクリートをはつり取ることが可能なビットを備えたものであり、前記操作部は、前記切削部と一体又は別体に形成された棒状体であり、前記構造物の右又は左側から前記構造物狭隘部内へ差し込み、作業者の操作にて前記切削部を前記構造物狭隘部内の所望の位置へ配置させることができ、前記採取部は、前記構造物の右又は左側から前記構造物狭隘部内へ挿入することができる受け部を備え、前記切削部がはつり採った構造物のコンクリートの砕粉を受けるものである。
更に、本願発明では、前記劣化試験用試料採取装置が、前記構造物狭隘部内において前記構造物の全幅方向即ち構造物の左右に渡って配置され前記切削部の前記構造物狭隘部内での左右の移動をガイドする細長のガイド部を備え、前記切削部又は前記操作部を前記ガイド部へ支持させることにて、前記ガイド部に沿って、前記切削部を左右方向へ移動させることができ、前記切削部は、前記操作部の先に前記操作部と一体に設けられ、前記切削部は、前記操作部の軸と交差する方向に突出する短軸と、当該短軸の先に前記ビットとして設けられたドリルビットとを備えたエアツールであり、前記切削部は、前記構造物狭隘部の外部に配置されたエアコンプレッサから駆動力を得て前記短軸を中心として前記ドリルビットを回転させることができ、前記構造物の右又は左側において、前記操作部の基端側を握って前記操作部を回転させることにより、前記操作部の軸を中心として前記短軸を旋回させて、前記ドリルビットを構造物の前記端面に当てることができ、採取部の前記受け部は、前記構造物狭隘部内にて前記ドリルビットの近傍へ配置することができる樋状のものであるものを提供できた。
また、本願発明では、前記受け部について、集塵機に接続されて、前記砕粉を吸引することができる構造物狭隘部におけるものを提供できた。
更に、本願発明では、前記ガイド部は、前記切削部又は前記操作部を、前記ガイド部へ吊るした状態にして左右の移動を案内するワイヤーロープであり、前記操作部は、中空の筒状体であり、前記操作部の内部に前記エアツールの本体が設けられ、左右に伸びる前記操作部の、側部先端側は、前記操作部の周方向について一部を残して上部側が開放された区間を開放部位として備え、側部先端側において当該周方向の下部側が樋状の前記受け部を構成するものであり、前記切削部は、操作部の前記開放部位から、前記短軸を操作部の軸方向と直交する方向に突出させたものを提供できた。
また更に本願発明では、前記コンクリート構造物のはつりに先だち、高架道路等の高架のコンクリート構造物の、伸縮継ぎ手や目地が設けられる構造物端面間の隙間即ち構造物狭隘部にて、構造物の劣化試験用の試料として前記構造物のコンクリートの一部を採取する劣化試験用試料採取を行うものであって、次の構成を採るものを提供できた。
即ち、劣化試験用試料採取は、前記切削部と、操作部と、採取部とを用いるものであり、前記切削部には、前記構造物の右又は左側から前記構造物狭隘部内へ挿入することができ且つコンクリートをはつり取ることが可能なビットを備えたものを採用し、前記操作部には、前記切削部と一体又は別体に形成された棒状体であるものを採用し、前記採取部には、前記構造物の右又は左側から前記狭隘部内へ挿入することができる受け部を備えるものを採用し、作業者が、前記操作部を、前記構造物の右又は左側から前記狭隘部内へ差し込み、操前記切削部を前記構造物の右又は左側から前記狭隘部内にて、前記切削部を前記狭隘部内の所望の位置へ配置させ、前記切削部にて構造物のコンクリートを切削し、前記切削部がはつり採った構造物のコンクリートの砕粉を、前記採取部にて受けるものである。
更に本願発明では、欠陥により又は当該欠陥の除去により前記上部工の構造物端面から後退する空間を計測空間とし、前記補修部形成に先立ち少なくとも前記計測空間の前記構造物端面から後退する深さを計測することができる計測装置を備え、測定動作前の前記計測装置の前後の幅は前記端面間の幅より小さなものである構造物狭隘部における補修部形成装置を提供できた。
また本願発明では、前記計測装置が、前記構造物の左右の少なくとも一方又は下方から前記構造物狭隘部内へ挿入することができる案内部と、案内部の前記挿入方向と交差する方向に向けて前記案内部から出没可能な出没部と、前記出没部の突出幅を検出する深さ検出部とを備え、前記案内部を構造物狭隘部へ挿入した状態にて、前記計測空間にて前記出没部を突出させることができ、前記深さ検出部にて前記出没部の突出幅を検出することにより、前記計測空間の深さを検知することを可能とする構造物狭隘部における補修部形成装置を提供できた。
更にまた本願発明では、前記案内部は、構造物狭隘部への挿入方向に沿って伸びる長尺の部材であり、前記計測装置は、前記案内部へ案内される被案内部を備え、前記被案内部は、前記案内部に案内され、前記案内部に対し前記案内部の伸びる方向に沿って変位することができ、前記被案内部の先端側が前記出没部を構成するものであり、前記案内部は、先端側に前記被案内部の先端側を突き当てる突当り部を備え、前記被案内部は、前記案内部の伸びる方向を長手方向として伸び、前記変位にて前記突当り部へ突き当たることによって撓むものであり、前記案内部を構造物狭隘部へ挿入した状態において、前記被案内部の先端側を前記突当り部へ突き当てて前記案内部の伸びる方向と交差する方向へ向きを変えさせることにより、前記被案内部の先端側を前記出没部として、前記案内部から突出させる構造物狭隘部における補修部形成装置を提供できた。
また更に、本願発明では、前記案内部は、中空の内部へ前記被案内部を収容する筒状体であり、前記案内部の構造物狭隘部内への挿入方向について前記案内部を移動させることができる案内移動部と、前記挿入方向について前記案内部の位置を検出する位置検出部とを備え、前記突当り部は前記案内部の先端側を閉鎖するものであり、前記案内部の先端側の側面は、筒状の前記案内部の内部と外部とを連絡する開口部を備え、前記案内部を構造物狭隘部へ前記挿入した状態において、前記被案内部の基部側を前記案内部の基端側から前記案内部内へ押し込むことにて、前記被案内部の先端側を前記突当たり部へ突き当てて、前記開口部から前記出没部を突出させることができ、前記深さ検出部は、被案内部の前記出没部へ当該出没方向に沿ってふられた目盛りと、前記案内部に設けられたカメラとを備え、前記カメラは、前記構造物狭隘部の外部にて少なくとも前記開口部から露出している前記目盛りを確認することができる或いは少なくとも前記開口部から露出している前記目盛りを録画することができるものであり、前記位置検出部により前記挿入方向についての前記出没部の位置を検出でき、前記位置検出部が検出した各位置において前記深さ検出部により計測空間の深さを検出することにて、計測空間の大きさを検知可能とする構造物狭隘部における補修部形成装置を提供できた。
更に本願発明は、欠陥により又は当該欠陥の除去により前記上部工の構造物端面から後退する空間を計測空間とし、前記補修部形成に先立ち少なくとも前記計測空間の前記構造物端面から後退する深さを、計測装置にて計測するものであり、前記計測装置は、計測動作前の前後の幅を前記端面間の幅より小さく構成したしたものである構造物狭隘部における補修部形成方法を提供できた。
【手続補正４】
【補正対象書類名】明細書
【補正対象項目名】０００８
【補正方法】変更
【補正の内容】
【０００８】
本願の発明では、構造物狭隘部における流体の噴射による構造物のはつりにおいて、噴射部支承部が噴射部の荷重を受けることにより、移動部に掛る噴射部の荷重を緩和することが可能となった。これによって、噴射部に比較的大量の流体を送り込み高圧にて噴射することができる。従って、噴射部によるはつりにて劣化コンクリートを除去する際、より深くコンリートを深くはつることが可能となった。例えば、構造物内部の鉄筋を露出させるまでコンクリートをはつることが可能となった。
特に、本願発明では、構造物の左右にて上記はつり作業を行うことができる。このため、構造物の上を移動する車両等の交通を規制する必要がない。
また、本願発明は、特に固定部材を回り止めとすることによって、噴射部による噴射の反動にて、噴射部が線条部材にて回るのを抑制できた。
また、上記カバーを備えることにより、流体の噴射にて被処理部位以外の部位が損傷するのを抑制することができた。
また本願発明は、構造物（上部工）の左右や下方から構造物狭隘部にて補修部を形成することができる。このため、構造物の上方から施工を行う工法と異なり、構造物上の通行の規制を行う必要ない。
特に、噴射装置にて吹き付けにより補修部を形成する場合、当該噴射装置を、圧縮空気をコンプレッサからノズルへ送るエア圧送管を主管とし、エア圧送管の途中にモルタル等の補修材を送る材料ホースの先端を、エア圧送管の途中に接続することによって、図１２へ示す補修材を送る材料導管ｂを主管としてノズル部ａに接続し材料導管ｂの途中にエアホースｃを接続する従来の噴射装置に比して接続するホースを細く易く装置を小型化することが容易である。このため、本願発明では構造物の狭隘部にて補修を行うのに好適な装置を提供できる。本願発明の上記噴射部は、補修材の吹き付けにて補修部を形成する際特に適したものである。
更に、本願発明では、型枠を用いて円滑な補修部の形成を行うことも可能となった。
更にまた、本願発明では、高架道路の継ぎ手等が設けられる構造物狭隘部からコンクリートの劣化を調べる試料を採取するに適した劣化試験用資料採取装置を備えたものの提供を可能とする。
特に、劣化試験用資料採取装置を備えることにより、上記の構成を採る本願発明では、構造物の左右にて試料採取の作業を行うことができる。このため、構造物の上を移動する車両等の交通を規制する必要がない。
また、劣化試験用資料採取装置を備えることにより、簡易な構成にて、比較的少人数で作業を遂行することができる。更に、構造物狭隘部から試料を適切な状態で確実に採取することができる。とりわけ、エアツールを利用して切削により試料砕粉を得、当該試料砕粉を、集塵機にて採取することによって、試料を濡らすことなく採取することができる。
従来、狭隘なコンクリート壁面からの劣化試験用試料採取は不可能であったため、狭隘部以外の場所から試料を採取し、狭隘部の劣化を推定するしかなかったが、本願発明により、正確な劣化範囲の判定ができるため、的確な補修範囲の決定が可能となった。
更に、本願発明では、欠陥により又は当該欠陥の除去により前記上部工の構造物端面から後退する空間を計測空間として、前記補修部形成に先立ち、計測装置にて少なくとも当該空間の深さを調べておくことができる。即ち、上記計測装置により、劣化によって生じた欠陥の深さを予め検出ことができる。また、上記計測装置により、欠陥をはつったことにて形成された空間の深さを補修部形成に先立ち調べることができる。特に、はつったことにて形成された空間の各位置において当該空間の深さを上記計測装置で計測し当該空間の大きさを調べることができる。上記にて当該空間の大きさを調べることにより、補修部形成のために必要な充填材料の量を簡便に知得することができる。
上述した通り、本願発明では、劣化部分の試料採取から、特定した劣化部分の除去・補修部の形成まで、一貫して、交通規制を行う必要なく、全工程を遂行することができる。